(57)【特許請求の範囲】
【請求項１】
紙葉類を載置部に載置し、この載置部に載置された紙葉類を給紙する第１の給紙手段と、
この第１の給紙手段の載置部の給紙方向下流側に設けられ、前記紙葉類よりもその給紙方向の長さを大とする長尺の紙葉類を手差しさせて給紙する第２の給紙手段とを具備し、
前記第２の給紙手段は、前記長尺の紙葉類の手差し方向先端が下降するように傾斜する傾斜ホッパを有し、この傾斜ホッパの後端部が前記第１の給紙手段の載置部よりも高く位置し、且つ、前記載置部に対し上下方向でオーバラップしないように設けられ、
前記第２の給紙手段に手差しされる長尺の紙葉類は、その給紙方向後端側が前記第１の給紙手段の載置部によって支持されることを特徴とする紙葉類給紙装置。
【請求項２】
前記第１の給紙手段の載置部及び前記第２の給紙手段の傾斜ホッパは前記紙葉類の給紙方向に沿って配設される請求項１記載の紙葉類給紙装置。
【請求項３】
前記第１の給紙手段の載置部における紙葉類の有無を判別する第１の判別手段と、前記第２の給紙手段の傾斜ホッパにおける紙葉類の有無を判別する第２の判別手段と、前記第１及び第２の判別手段の判別結果に基づいて前記第１及び第２の給紙手段の給紙動作を制御する制御手段とを具備することを特徴とする請求項１記載の紙葉類給紙装置。
【請求項４】
前記長尺の紙葉類はレセプトとこのレセプトに追加される複数枚の追加レセプトとを有して構成される請求項１乃至３の何れか一項に記載の紙葉類給紙装置。
【発明の詳細な説明】
【０００１】
【発明の属する技術分野】
本発明は、例えば、光学的文字読取装置、或いは光学的イメージ読取装置等に用いられる紙葉類給紙装置に関する。
【０００２】
【従来の技術】
この種の紙葉類給紙装置としては、紙葉類を積載するホッパを備え、このホッパから紙葉類を一枚づつ取り出して光学的文字読取装置等に給紙するものが知れられている（例えば、特許文献１参照。）。
【０００３】
ところで、紙葉類として医療用のレセプトを給紙する場合があるが、レセプトは記載事項が一杯になると、追加レセプトが順に貼り付けられるようになっている。この追加レセプトの貼付枚数はものによって各々異なるが、投薬期間が長いほど増えていく。
【０００４】
【特許文献１】
特開平４−２７６８８３号公報
【０００５】
【発明が解決しようとする課題】
しかしながら、追加レセプトが何枚も貼り付けられた所謂、長尺のレセプトを給紙する場合には問題が生じていた。即ち、長尺のレセプトをホッパに載置すると、その給紙方向後端側の追加レセプトがホッパから垂れ下がり、その重みでレセプトが落下してしまうという虞があった。
【０００６】
このため、従来においては、オペレータがレセプトの給紙方向後端側の追加レセプトを下側から支えながら給紙しなければならず、大変に手間取るものとなっていた。
【０００７】
そこで、ホッパから垂れ下がる追加レセプトをトレイにより支持することにより、レセプトの落下を防止することが考えられているが、この場合には、トレイが専用に必要になるため、コスト高になるという問題がある。
【０００８】
本発明は上記事情に着目してなされたもので、その目的とするところは、長尺の紙葉類を給紙する場合であっても、専用のトレイを用いることなく支持して良好に給紙できるようにした紙葉類給紙装置を提供することを目的とする。
【０００９】
【課題を解決するための手段】
上記課題を解決するため、請求項１記載の発明は、紙葉類を載置部に載置し、この載置部に載置された紙葉類を給紙する第１の給紙手段と、この第１の給紙手段の載置部の給紙方向下流側に設けられ、前記紙葉類よりもその給紙方向の長さを大とする長尺の紙葉類を手差しさせて給紙する第２の給紙手段とを具備し、前記第２の給紙手段は、前記長尺の紙葉類の手差し方向先端が下降するように傾斜する傾斜ホッパを有し、この傾斜ホッパの後端部が前記第１の給紙手段の載置部よりも高く位置し、且つ、前記載置部に対し上下方向でオーバラップしないように設けられ、前記第２の給紙手段に手差しされる長尺の紙葉類は、その給紙方向後端側が前記第１の給紙手段の載置部によって支持される。
【００１０】
【発明の実施の形態】
以下、本発明を図面に示す実施の形態を参照して詳細に説明する。
図１は本発明の一実施の形態である紙葉類処理装置の内部構成を示すもので、この紙葉類処理装置は光学式の読取装置１とソータ装置２とによって構成されている。図２は光学式の読取装置１を示す外観斜視図である。
【００１１】
読取装置１は装置本体３を有し、この装置本体３の一側上部側には載置部としてのホッパテーブル４が設けられている。ホッパテーブル４上には、紙葉類としての医療用の各種サイズのレセプト６が多数枚立位状態で載置されている。このレセプト６はその上端側が後方へ傾くように傾斜された状態で載置されている。
【００１２】
ホッパテーブル４上には、レセプト６を支持するガイド体５がレセプト６の送出方向に沿ってスライド自在に設けられている。ホッパテーブル４のレセプト６の送出側には、レセプト６を装置本体３内に送込むための第１のフィーダ部７が設けられている。第１のフィーダ部７はピックアップローラ８と送出ローラ９と分離ローラ１０とによって構成されている。また、ホッパテーブル４にはレセプト６の有無を判別する第１の判別手段としての検知スイッチ６１が設けられている。上記したホッパテーブル４と第１のフィーダ部７とにより第１の給紙手段としての第１の給紙部１１が構成されている。
【００１３】
装置本体３内の上部側には、第１のフィーダ部７から送り出されるレセプト６を搬送するメイン搬送路１２が設けられている。メイン搬送路１２にはレセプト６の搬送方向に亘って多数個の搬送ローラ対１３及び検知センサ１４等が配設されている。
【００１４】
また、装置本体３の上面部には後述する長尺レセプト（長尺紙葉類）を手差しさせるための第２の給紙手段としての手差し給紙部１７が設けられている。手差し給紙部１７は手差しされる長尺レセプトを載置する傾斜ホッパ２１と載置された長尺レセプトをメイン搬送路１２に向かって案内する案内路１８とを有している。傾斜ホッパ２１には手差しされる長尺レセプトの有無を判別する第２の判別手段としての検知スイッチ２０が設けられている。案内路１８中には第２のフィーダ部としての給紙ローラ対１９が設けられている。
【００１５】
案内路１８とメイン搬送路１２の合流部のレセプト搬送方向下流側には、レセプトに記録されている情報を光学的に読み取る読取部２２が設けられている。読取部２２は、レセプトに光を照射する一対の照明ランプ２３，２４と、レセプトから反射される光を所定方向に導く第１及び第２の反射ミラー２６，２７と、反射されくる光を受光して情報を読み取る受光センサ２８とによって構成されている。読取部２２のレセプト搬送方向下流側には、レセプトにナンバーを記録するナンバリング２９が設けられている。
【００１６】
メイン搬送路１２のレセプト搬送方向の終端側は装置本体３の内側面に沿って下方に略９０度折曲されてソータ装置２の搬送路３１に接続されている。
メイン搬送路１２の略９０度下方に折曲された部分には、第１及び第２の分岐搬送路３３，３４が接続され、その接続部近傍にはレセプトを第１及び第２の分岐搬送路３３，３４に選択的に案内する第１及び第２の分岐ゲート３６，３７が設けられている。
【００１７】
第１の分岐搬送路３３はメイン搬送路１２に沿って水平に設けられ、この第１の分岐搬送路３３中にはレセプトの搬送方向に亘って搬送ローラ対４０及び検知センサ４１が複数配設されている。第１の分岐搬送路３３の下方部には例えばＡ３サイズのレセプトを集積するための集積装置４３が設けられている。この集積装置４３は第１の分岐搬送路３３に沿って所定間隔を存して配設される複数個の集積部４３ａ〜４３ｃによって構成されている。
【００１８】
第１の分岐搬送路３３と複数個の集積部４３ａ〜４３ｃとは案内路４４ａ〜４４ｃを介して接続されている。第１の分岐搬送路３３と案内路４４ａ，４４ｂとの接続部近傍には分岐ゲート４５ａ，４５ｂが設けられ、この分岐ゲート４５ａ，４５ｂの回動によりレセプトが選択的に複数の集積部４３ａ〜４３ｃに案内されて集積されるようになっている。
【００１９】
第２の分岐搬送路３４は斜め下方に向かって延びたのち、長尺用の集積装置５１に接続されている。第２の分岐搬送路３４中にはレセプトの搬送方向に亘って複数の搬送ローラ対４７及び検知センサ４８が配設されている。長尺用の集積装置５１は上記した集積部４３ａ〜４３ｃの下部側に沿って水平に設けられている。
【００２０】
一方、上記したソータ装置２は光学的読取装置１の他側面側に隣接して設けられている。ソータ装置２は上下方向に亘って配設される複数段のトレイ５３…を備え、これらトレイ５３…に例えばＡ４サイズのレセプトが区分収納される。ソータ装置２は上記したように光学的読取装置１のメイン搬送路１２の終端部に接続される搬送路３１を有し、この搬送路３１は水平搬送路３１ａと垂直搬送路３１ｂとによって構成されている。水平搬送路３１ａと垂直搬送路３１ｂにはレセプトの搬送方向に所定間隔を存して搬送ローラ対５５が複数配設されている。垂直搬送路３１ｂと複数段のトレイ５３…とは複数の分岐案内路５７…を介して接続されている。
【００２１】
次に、レセプトの処理動作について説明する。
まず、ホッパテーブル４上に多数枚のレセプト６を立位状態に載置し、第１のフィーダ部７を動作させる。これにより、ピックアップローラ８、送出ローラ９及び分離ローラ１０が回転され、レセプト６が一枚づつ分離してメイン搬送路１２へ送り出される。このレセプト６は搬送ローラ対１３…の回転によりメイン搬送路１２に沿って挟持搬送される。そして、この搬送途中においてレセプト６のサイズが検知センサ１４により検出され、この検知後、読取部２２で情報が光学的に読み取られる。この読取後、レセプト６はさらに搬送されてナンバリング２９に送られ、ここで、ナンバーが記録される。
【００２２】
ナンバーが記録されたレセプト６のサイズが例えば、Ａ４サイズものである場合には、メイン搬送路１２に沿って搬送されたのち、ソータ装置２の搬送路３１へと送込まれる。この搬送路３１に送込まれたレセプト６は水平搬送路３１ａに沿って搬送されたのち、垂直搬送路３１ｂに沿って上方へ搬送され、複数の分岐案内路５７…を介して複数段のトレイ５３…上に区分集積される。
【００２３】
また、レセプト６のサイズが例えば、Ａ３サイズである場合には、ソータ装置２に送込まれることなく、第１の分岐ゲート３６の動作により第１の分岐搬送路３３に送込まれ、集積装置４３の各集積部４３ａ〜４３ｃに集積される。
さらに、レセプト６が手差し給紙部１７から手差しされた長尺（例えば、１ｍの長さ）のものである場合には、第２の分岐ゲート３７の動作により第２の分岐搬送路３４に送られ、長尺用の集積装置５１に集積される。
【００２４】
ところで、上記した手差し給紙部１７は図３に示すように第１の給紙部１１の給紙方向下流側に位置して設けられ、図５に示すような、長尺レセプト６ａが手差しされるようになっている。
長尺レセプト６ａは、本票（レセプト）６ｂとこの本票６ｂに順次貼り付けられる続紙（追加レセプト）６ｃとからなる。
【００２５】
この長尺レセプト６ａは本票６ｂに記載事項が一杯になると、続紙６ｃを順に貼り付けていく。ただし、続紙６ｃの貼付パターンは数通りあり、本発明に関連するものは続紙６ｃを次々に貼り付けていくタイプのもので、図の破線部分は糊付部６ｄである。
【００２６】
このタイプの長尺レセプト６ａは、通常、図６及び図７に示すように続紙６ｃは折り畳まれ、続紙６ｃの貼付枚数はものによって各々異なるが、投薬期間が長いほど増えていく。
【００２７】
手差し給紙部１７は上記したように手差しされる長尺レセプト６ａを載置する傾斜ホッパ２１を有しているが、この傾斜ホッパ２１は長尺レセプト６ａの手差し方向先端側に向かって下降するように傾斜され、その手差方向後端側は第１の給紙部１１のホッパテーブル４よりも高い位置にある。
【００２８】
これにより、図４に示すように、長尺レセプト６ａが手差し給紙部１７の傾斜ホッパ２１に沿って手差しされた際には、手差し給紙部１７から食み出す手差し方向後端側の続紙６ｃが第１の給紙部１１のホッパテーブル４によって支持されるようになっている。従って、長尺レセプト６ａの続紙６ｃが垂れ下がることがなく、その落下を確実に防止できるようになっている。
【００２９】
図８は第１の給紙部１１及び第２の給紙部としての手差し給紙部１７の駆動制御系を示すブロック図である。
上記した第１の給紙部１１のホッパテーブル４上におけるレセプト６の有無を判別する第１の判別手段（検知スイッチ）６１及び手差し給紙部１７の傾斜ホッパ２１上の長尺レセプト６ａの有無を判別する第２の判別手段（検知スイッチ）２０は、送信回路を介して制御装置６３に接続されている。制御装置６３には制御回路を介して上記した第１の給紙部１１の第１のフィーダ部７及び手差し給紙部１７の第２のフィーダ部（給紙ローラ対）１９が接続され、その動作が第１及び第２の判別手段６１，２０の判別結果に基づいて制御されるようになっている。
【００３０】
次に、上記したレセプトの給紙動作について図９のフローチャートを参照して詳述する。
【００３１】
読取り開始指令があると（ステップＳ１）、手差し給紙部１７の傾斜ホッパ２１上における長尺レセプト６ａの有無が判別される（ステップＳ２）。傾斜ホッパ２１上に長尺レセプト６ａがあると判別されると、第２のフィーダ部１９が動作されて傾斜ホッパ２１上の長尺レセプト６ａが取込まれる（ステップＳ３）。
【００３２】
ステップＳ２において、傾斜ホッパ２１上に長尺レセプト６ａがないと判別されると、第１の給紙部１１のホッパテーブル４上におけるレセプト６の有無が判別される（ステップＳ４）。ホッパテーブル４上にレセプト６があると判別されると、第１のフィーダ部７が動作されてホッパテーブル４上のレセプト６が取込まれる（ステップＳ５）。
【００３３】
ステップＳ４において、ホッパテーブル４上にレセプト６がないと判別されると、読取り動作が停止される（ステップＳ６）。
ステップ３及びステップ５で取込まれた長尺レセプト６ａ及びレセプト６は読取部２２へ送られて情報が読み取られる（ステップＳ７）。しかるのち、次のレセプトを取込むべきか否かが判別され（ステップＳ８）、取込むべきであると判別された場合には、ステップＳ２に戻って上記したステップを繰り返して読取り動作を継続する。ステップ８で取込むべきでないと判別された場合には、読取り動作を停止する（ステップＳ９）。
【００３４】
上記したように、この実施の形態によれば、長尺のレセプト６ａを手差しさせて給紙する第２の給紙部としての手差し給紙部１１を第１の給紙部１１の給紙方向下流側に設け、手差し給紙部１７に手差しされる長尺レセプト６ａの給紙方向後端側の続紙６ｃを第１の給紙部１１のホッパテーブル４によって支持するため、長尺レセプト６ａの給紙方向後端側の続紙６ｃを支持するためのトレイを別途特別に必要とすることなく、その落下を防止することができ、コストを低減することができるという利点がある。
【００３５】
なお、本発明は上記実施の形態に限られることなく、その要旨の範囲内で種々変形実施可能なことは勿論のことである。
【００３６】
【発明の効果】
本発明は以上説明したように、第２の給紙手段に手差しされる長尺紙葉類の給紙方向後端側を第１の給紙手段の載置部によって支持するから、従来のように専用のトレイを必要とすることなく長尺レセプトの落下を防止でき、コストを低減することができるという効果を奏する。
【図面の簡単な説明】
【図１】  本発明の一実施の形態である紙葉類処理装置を示す全体構成図。
【図２】  同実施形態の光学的文字読取装置を示す外観斜視図。
【図３】  同実施形態の第１の給紙部及び手差し給紙部を示す斜視図。
【図４】  同実施形態の手差し給紙部に長尺レセプトが手差しされた状態を示す斜視図。
【図５】  同実施形態で読み取られる長尺レセプトを示す平面図。
【図６】  図５の長尺レセプトの追加レセプトを折り畳んだ状態を示す平面図。
【図７】  図５の長尺レセプトの追加レセプトを折り畳んだ状態を示す斜視図。
【図８】  同実施形態の第１の給紙部、及び手差し給紙部の駆動制御系を示すブロック図。
【図９】  同実施形態のレセプトの給紙動作を示すフローチャート図。
【符号の説明】
４…ホッパテーブル（載置部）、６…レセプト（紙葉類）、６ａ…長尺レセプト（長尺の紙葉類）、６ｂ…本票、６ｃ…続紙（追加レセプト）、１１…第１の給紙部（第１の給紙手段）、１７…手差し給紙部（第２の給紙手段）、２０…検知スイッチ（第２の判別手段）、２１…傾斜ホッパ、６３…制御装置（制御手段）６１…検知スイッチ（第１の判別手段）
【図１】
0003721171.tif 000002
【図２】
0003721171.tif 000003
【図３】
0003721171.tif 000004
【図４】
0003721171.tif 000005
【図５】
0003721171.tif 000006
【図６】
0003721171.tif 000007
【図７】
0003721171.tif 000008
【図８】
0003721171.tif 000009
【図９】
0003721171.tif 000010